(57)【要約】【課題】携帯機器ホルダ及びエアフレッシュナに関するシステム、機器、及び方法についての技術を提供する。【解決手段】携帯機器ホルダ及びエアフレッシュナは、本体と頂部と底部と取り外し可能キャップとを含んでもよい。本体は、少なくとも部分的に中空である第１の内部を含むように配置されてもよい。頂部及び底部は携帯電子機器を保持するのに効果的であってもよい。取り外し可能キャップは、機器内に空気が流入することを可能にするのに効果的な第１の通気孔を含んでもよい。取り外し可能キャップは、携帯機器ホルダ及びエアフレッシュナ内に香り材料が装着されることを可能にしてもよい。本体は、第１の通気孔を通して機器に入った空気が香りを付けられて、機器内に含まれる第２の通気孔を通して機器から流出することを可能にするように更に配置されてもよい。【選択図】図１
2016043249.tif 000002
【特許請求の範囲】
【請求項１】
機器であって、
少なくとも部分的に中空である第１の内部を含むように配置された、本体と、
頂部及び底部であって、前記頂部と前記底部との間に携帯電子機器を保持するのに効果的である、前記頂部及び底部と、
取り外し可能キャップであって、前記機器内に空気が流入することを可能にするのに効果的な第１の通気孔を含み、前記第１の内部内に又は前記取り外し可能キャップの第２の内部内に香り材料が装着されることを可能にするように取り外し可能である、前記取り外し可能キャップと
を備え、前記本体は、更に、前記第１の通気孔を通して前記機器に入った空気が香りを付けられて、前記機器内に含まれる第２の通気孔を通して前記機器から流出することを可能にするように配置される、機器。
【請求項２】
前記機器は、前記機器に固定されたクリップを更に含み、前記クリップは前記機器を物体にクリップ留めする、請求項１に記載の機器。
【請求項３】
前記クリップは前記取り外し可能キャップ上に位置する、請求項２に記載の機器。
【請求項４】
前記頂部及び前記底部は、前記本体に対して垂直な角度で配置される、請求項１に記載の機器。
【請求項５】
前記第２の通気孔は前記機器の前記底部内に含まれる、請求項１に記載の機器。
【請求項６】
前記第２の通気孔は前記機器の前記頂部内に含まれる、請求項１に記載の機器。
【請求項７】
前記機器は第３の通気孔を更に含み、前記第３の通気孔は前記機器の前記底部内に含まれる、請求項６に記載の機器。
【請求項８】
前記頂部及び／又は前記底部はフランジを含み、前記フランジは、前記頂部と前記底部との間から前記携帯電子機器が外れるのを防止する、請求項１に記載の機器。
【請求項９】
前記本体は２つのアームを含み、前記アームは、前記頂部と前記底部との間に前記携帯電子機器が装着されることを可能にするように前記本体から伸長する、請求項１に記載の機器。
【請求項１０】
携帯電子機器をエアフレッシュナ機器内に固定する方法であって、前記方法は、
前記携帯電子機器の後部が前記エアフレッシュナ機器の本体の表面に沿って配置されるように、前記エアフレッシュナ機器の頂部と底部との間に前記携帯電子機器を設置することを含み、ここで前記本体は、少なくとも部分的に中空である第１の内部を含むように配置され、前記本体は、前記頂部に結合された第１のアームと前記底部に結合された第２のアームとを含み、
取り外し可能キャップを前記本体と接続して配置することを含み、ここで前記取り外し可能キャップは、前記エアフレッシュナ機器内に空気が流入することを可能にする第１の通気孔を含み、前記取り外し可能キャップは、前記第１の内部内に又は前記取り外し可能キャップの第２の内部内に香り材料が装着されることを可能にするように取り外し可能であり、及び、
前記頂部と前記底部との間に前記携帯電子機器を固定するために前記第１のアーム及び前記第２のアームのうちの少なくとも１つの長さを調節することを含み、
前記本体は、前記第１の通気孔を通して前記エアフレッシュナ機器に入った空気が香りを付けられて、前記エアフレッシュナ機器内に含まれる第２の通気孔を通して前記エアフレッシュナ機器から流出することを可能にするような寸法及び形状を備える、方法。
【請求項１１】
前記取り外し可能キャップは、前記取り外し可能キャップの後部に固定されたクリップを含み、前記方法は、前記エアフレッシュナ機器を物体にクリップ留めすることを更に含む、請求項１０に記載の方法。
【請求項１２】
前記頂部及び前記底部は、前記本体に対して実質的に垂直な角度で配置される、請求項１０に記載の方法。
【請求項１３】
前記香り材料は、液体オイル、ジェル、又は平坦なリングの形状の固体を含む、請求項１０に記載の方法。
【請求項１４】
前記第２の通気孔は前記エアフレッシュナ機器の前記底部内に含まれる、請求項１０に記載の方法。
【請求項１５】
前記第２の通気孔は前記エアフレッシュナ機器の前記頂部内に含まれる、請求項１０に記載の方法。
【請求項１６】
前記エアフレッシュナ機器は第３の通気孔を更に含み、前記第３の通気孔は前記エアフレッシュナ機器の前記底部内に含まれる、請求項１５に記載の方法。
【請求項１７】
前記頂部及び／又は前記底部の上にフランジを配置することを更に含み、前記フランジは、前記頂部と前記底部との間から前記携帯電子機器が外れるのを防止する、請求項１０に記載の方法。
【請求項１８】
前記取り外し可能キャップは、前記取り外し可能キャップの後部に固定されたクリップを含み、前記方法は、前記エアフレッシュナ機器を自動車環境システムの通気孔にクリップ留めすることを更に含む、請求項１０に記載の方法。
【請求項１９】
香り材料から香料を放出する方法であって、前記方法は、
エアフレッシュナ機器の本体の内部内に前記材料を設置することを含み、ここで前記エアフレッシュナ機器は携帯電子機器を保持するように配置され、
自動車通気孔に前記エアフレッシュナ機器をクリップ留めすることを含み、
前記エアフレッシュナ機器内の第１の通気孔を空気が通過するように、前記自動車通気孔を通して前記空気を吹かせることを含み、ここで前記香り材料からの粒子状物質は、前記空気と混ざり合って香り空気を作り、及び、
前記エアフレッシュナ機器の第２の通気孔から前記香り空気を吹き出させること
を含む、方法。
【請求項２０】
前記エアフレッシュナ機器の前記本体の前記内部内に前記材料を設置することは、前記エアフレッシュナ機器からキャップを取り外すことを更に含む、請求項１９に記載の方法。
【発明の詳細な説明】
【技術分野】
【０００１】
本発明は、携帯機器ホルダ及びエアフレッシュナに関する。
【背景技術】
【０００２】
エアフレッシュナは好ましくない匂いを低減させるか又は隠し、心地よい匂いを放出する。エアフレッシュナは一般に、心地よい匂いを香料（ｆｒａｇｒａｎｃｅ）の形態で放出する。エアフレッシュナとしては、スプレー、キャンドル、オイル、ジェル、及びプラグ差し込み式の電気製品（ｐｌｕｇ−ｉｎｓ）が含まれる。
【発明の概要】
【発明が解決しようとする課題】
【０００３】
本発明は、携帯機器ホルダ及びエアフレッシュナを提供することを課題とする。
【課題を解決するための手段】
【０００４】
一例では、機器が一般的に記載される。いくつかの例では、機器は本体を含んでもよい。本体は、少なくとも部分的に中空である第１の内部を含むように配置されてもよい。いくつかの他の例では、機器は頂部及び底部を含んでもよい。様々な例では、頂部及び底部は、頂部と底部との間に携帯電子機器を保持するのに効果的であってもよい。いくつかの更なる例では、機器は取り外し可能キャップを更に含んでもよい。取り外し可能キャップは、機器内に空気が流入することを可能にするのに効果的な第１の通気孔を含んでもよい。いくつかの例では、取り外し可能キャップは、第１の内部内に又は取り外し可能キャップの第２の内部内に香り材料が装着されることを可能にするように取り外し可能であってもよい。様々な例において、本体は、第１の通気孔を通して機器に入った空気が香りを付けられて、機器内に含まれる第２の通気孔を通して機器から流出することを可能にするように更に配置されてもよい。
【０００５】
別の例では、携帯電子機器をエアフレッシュナ機器内に固定する方法が一般的に記載される。いくつかの例では、方法は、携帯電子機器の後部がエアフレッシュナ機器の本体の表面に沿って配置されるように、エアフレッシュナ機器の頂部と底部との間に携帯電子機器を設置することを含んでもよい。様々な例において、本体は、少なくとも部分的に中空である第１の内部を含むように配置されてもよい。いくつかの例では、本体は、頂部に結合された第１のアームと底部に結合された第２のアームとを含んでもよい。いくつかの更なる例では、方法は、取り外し可能キャップを本体と接続して配置することを更に含んでもよい。取り外し可能キャップは、機器内に空気が流入することを可能にするのに効果的な第１の通気孔を含んでもよい。いくつかの例では、取り外し可能キャップは、第１の内部内に又は取り外し可能キャップの第２の内部内に香り材料が装着されることを可能にするように取り外し可能であってもよい。いくつかの更なる例では、方法は、頂部と底部との間に携帯電子機器を固定するために第１のアーム及び第２のアームのうちの少なくとも１つの長さを調節することを含んでもよい。他の例では、本体は、第１の通気孔を通してエアフレッシュナ機器に入った空気が香りを付けられて、エアフレッシュナ機器内に含まれる第２の通気孔を通してエアフレッシュナ機器から流出することを可能にするような寸法及び形状を備えてもよい。
【０００６】
別の例では、香り材料から香料を放出する方法が一般的に記載される。様々な例において、方法は、エアフレッシュナ機器の本体の内部内に材料を設置することを含んでもよい。いくつかの例では、エアフレッシュナ機器は携帯電子機器を保持するように配置されてもよい。いくつかの更なる例では、方法は、自動車通気孔にエアフレッシュナ機器をクリップ留めすることを更に含んでもよい。様々な他の例では、方法は、エアフレッシュナ機器内の第１の通気孔を空気が通過するように、自動車通気孔を通して空気を吹かせることを更に含んでもよい。いくつかの例では、香り材料からの粒子状物質は、空気と混ざり合って香り空気を作るのに効果的であってもよい。いくつかの例では、方法は、エアフレッシュナ機器の第２の通気孔から香り空気を吹き出させることを更に含んでもよい。
【０００７】
前述の概要は例示的なものにすぎず、決して限定することを意図するものではない。上述の例示的な態様、実施形態、及び特徴に加えて、更なる態様、実施形態、及び特徴が、図面及び以下の詳細な説明を参照することによって明らかになるであろう。
【０００８】
本開示の前述の及びその他の特徴は、以下の説明及び添付の特許請求の範囲を添付の図面と組み合わせて参照することによってより完全に明らかになるであろう。これらの図面は本開示によるいくつかの実施形態を示すものにすぎず、従って本開示の範囲を限定するものとみなされるべきではないということが理解された上で、全てが本発明の一実施形態によるものである添付の図面を参照して、本開示について更に具体的かつ詳細に説明する。
【図面の簡単な説明】
【０００９】
【図１】携帯機器ホルダ及びエアフレッシュナの傾斜側面斜視図である。
【図２】携帯機器ホルダ及びエアフレッシュナの後面図である。
【図３】携帯機器ホルダ及びエアフレッシュナの側面図である。
【図４】携帯機器ホルダ及びエアフレッシュナの前面図である。
【図５】携帯機器ホルダ及びエアフレッシュナの頂面図である。
【図６】携帯機器ホルダ及びエアフレッシュナの底面図である。
【図７】携帯機器ホルダ及びエアフレッシュナの本体、ディスク、及びキャップエンクロージャを示す傾斜側面斜視分解図である。
【発明を実施するための形態】
【００１０】
以下な詳細な説明では、その一部を形成する添付の図面を参照する。文脈によって特に示されない限り、図面において、同様の符号は一般に同様の構成要素を示す。詳細な説明、図面、及び特許請求の範囲において記載する例示的実施形態は、限定することを意図するものではない。他の実施形態が利用されてもよく、本明細書中で提示される主題の精神又は範囲から逸脱することなく他の変更が行われてもよい。本明細書中に一般的に記載され添付の図面に示される本開示の態様は、多種多様な異なる構成に配置、置換、組み合わせ、分離、及び／又は設計され得、それらの全ては本明細書中で明確に企図されるということが容易に理解されるであろう。
【００１１】
図１は、本発明の一実施形態による携帯機器ホルダ及びエアフレッシュナの傾斜側面斜視図である。携帯機器ホルダ及びエアフレッシュナ１００は、本体１０６、底部１０２、頂部１０４、取り外し可能キャップ１１２、及び／又はクリップ１１０を含んでもよい。本体１０６はアーム１１６を含んでもよい。アーム１１６は、携帯機器ホルダ及びエアフレッシュナ１００の本体１０６に頂部１０４及び底部１０２を結合してもよい。いくつかの例では、本体１０６、頂部１０４、及び／又は底部１０２は、少なくとも部分的に中空である内部を含むように配置されてもよく、これにより携帯機器ホルダ及びエアフレッシュナ１００の本体１０６、頂部１０４、及び／又は底部１０２内の空隙を通して空気が流れ得る。いくつかの例では、頂部１０４及び底部１０２は、アーム１１６に対して垂直な又は実質的に垂直な角度で配置されてもよい。頂部１０４及び底部１０２はフランジ１０８を含んでもよい。フランジ１０８は、携帯機器ホルダ及びエアフレッシュナ１００の頂部１０４及び／又は底部１０２の均一な平面表面に対して隆起した材料を含んでもよい。フランジ１０８は、携帯機器ホルダ及びエアフレッシュナ１００の頂部１０４と底部１０２との間に装着された又は保持された携帯電子機器が携帯機器ホルダ及びエアフレッシュナ１００から脱落するのを防止するように構成されてもよい。いくつかの他の例では、アーム１１６の長さは調節可能であってもよい。例えばアーム１１６の長さは、頂部１０４と底部１０２とが互いに近付く及び／又は離れることが可能なように軸方向で調節されてもよい。いくつかの例では、以下に更に詳細に説明するように、アーム１１６は、頂部１０４と底部１０２との間に設置された携帯電子機器を保持及び／又は固定するために軸方向で調節されてもよい。いくつかの例では、フランジ１０８は、携帯機器ホルダ及びエアフレッシュナ１００内に装着された携帯電子機器が携帯機器ホルダ及びエアフレッシュナ１００の頂部１０４と底部１０２との間から装着解除される又は外れることを防止するのに効果的であり得る。いくつかの更なる例では、アーム１１６が調節可能であるように、アーム１１６は継ぎ目１２０などの１つ以上の継ぎ目において分離してもよい。いくつかの例では、継ぎ目１２０は、アーム１１６の上部とアーム１１６の下部との間の分割線であってもよい。
【００１２】
携帯機器ホルダ及びエアフレッシュナ１００の本体１０６内に及び／又は取り外し可能キャップ１１２の内部内に香り材料を装着するかあるいはそれを交換するために、取り外し可能キャップ１１２は本体１０６への結合又は接続から取り外されてもよい。いくつかの例では、香り材料は、香料が注入された液体オイル、ジェル、エアロゾル、又は固体材料（セラミック、紙など）であってもよい。いくつかの他の例では、香り材料としては、プラスチックのリング又はディスクによって密閉された香りオイルが含まれ得る。プラスチックのリング又はディスクは、香りオイルがリング又はディスクから逃げることを可能にするのに効果的な膜性部分を含んでもよい。香りオイルは気化することができ、これにより香り粒子が空気と混ざり合って香り空気を作ることが可能になる。いくつかの例では、オイルを加熱することによってオイルの気化が加速され得る。いくつかの他の例では、オイルの上を流れる空気がオイルの気化を加速し得る。香料は、フルーツの香り、新車の匂いなどを含む任意の望ましい香料であってもよい。取り外し可能キャップ１１２は通気孔１１４を含むように配置されてもよい。通気孔１１４は、本体１０６の内部に空気が流入すること及び本体１０６の内部から空気が流出することを可能にし得る。いくつかの例では、携帯機器ホルダ及びエアフレッシュナ１００内に吹き込まれる空気、及び／又は携帯機器ホルダ及びエアフレッシュナ１００から吹き出される空気は、本体１０６及び／又はキャップ１１２内の香り材料によって香りを付けられてもよい。
【００１３】
取り外し可能キャップ１１２はクリップ１１０を含んでもよい。クリップ１１０は、携帯機器ホルダ及びエアフレッシュナ１００を様々な物体に固定するために物体にクリップ留めするのに効果的であり得る。一例では、クリップ１００は、自動車環境システムの通気孔に、あるいは家庭又はオフィスのファンを取り囲む羽根ガードにクリップ留めされてもよい。クリップ１１０は、取り外し可能キャップ１１２に固定されたものとして示されているが、アーム１１６及び／又は取り外し可能キャップ１１２に固定されてもよい。いくつかの更なる例では、クリップ１１０は、携帯機器ホルダ及びエアフレッシュナ１００によって保持される携帯電子機器が水平に、垂直に、又は地面に相対的なその他の任意の角度で提示され得るように、回転するように構成されてもよい。自動車環境システム又はファンから吹く空気は、通気孔１１４を通して携帯機器ホルダ及びエアフレッシュナ１００の本体１０６に流入するか又は入ってもよい。携帯機器ホルダ及びエアフレッシュナ１００の本体１０６内に吹き込まれた空気は、本体１０６及び／又はキャップ１１２内の香り材料との相互作用によって香りを付けられてもよい。いくつかの例では、香り材料からの粒子状物質が、本体１０６及び／又は取り外し可能キャップ１１２内に吹き込まれる空気と混ざり合ってもよい。携帯機器ホルダ及びエアフレッシュナ１００から流出する空気は香り空気であり得、なぜなら本体１０６及び／又は取り外し可能キャップ１１２内の香り材料からの粒子が空気と混ざり合っていてもよいからである。
【００１４】
図２は、携帯機器ホルダ及びエアフレッシュナ１００の後面図を示す。様々な寸法の携帯電子機器が携帯機器ホルダ及びエアフレッシュナ１００内にしっかりと装着され得るように、アーム１１６は本体１０６から伸長されてもよく、及び／又は本体１０６内に短縮されてもよい。図３は、エアフレッシュナの側面図を示す。図示されているように、装着される携帯電子機器３０２は、携帯機器ホルダ及びエアフレッシュナ１００内に頂部１０４と底部１０２との間で装着されてもよい。いくつかの例では、携帯電子機器３０２は、携帯電話、タブレットコンピュータ機器、グローバルポジショニングシステム、電子リーダなどの電子機器、又は別の電子機器であってもよい。異なるサイズの携帯電子機器が頂部１０４と底部１０２との間に装着されるか又は固定され得るように、アーム１１６は軸方向で本体１０６から伸長されてもよく、及び／又は本体１０６内に短縮されてもよい。例えば、アーム１１６のうちの１つ以上は継ぎ目１２０に沿って分離してもよい。フランジ１０８は、装着された携帯電子機器３０２が携帯機器ホルダ及びエアフレッシュナ１００から外れるのを防止し得る。加えて、携帯電子機器３０２が携帯機器ホルダ及びエアフレッシュナ１００内に装着される場合、携帯電子機器３０２の後部は、本体１０６及び／又は窓３０４に沿って配置されてもよい。いくつかの例では、通気孔１１４を通して流れる空気は、携帯機器ホルダ及びエアフレッシュナ１００の本体１０６を通して流れてもよく、そして携帯機器ホルダ及びエアフレッシュナ１００の頂部１０４及び／又は底部１０２内に含まれてもよい通気孔から流出してもよい。
【００１５】
いくつかの例では、窓３０４は、携帯機器ホルダ及びエアフレッシュナ１００の前部上に配置されてもよい。窓３０４は、プラスチック又はガラスなどの透明材料から形成されてもよい。いくつかの例では、窓３０４は、携帯機器ホルダ及びエアフレッシュナ１００の内部内に残っている香り材料の量を携帯機器ホルダ及びエアフレッシュナ１００の利用者が見ることを可能にしてもよい。他の例では、携帯電子機器３０２によって生成される熱が、取り外し可能キャップ１１２及び／又は本体１０６内に装着された香り材料からの粒子状香り物質の放出を加速してもよい。
【００１６】
図４は、携帯機器ホルダ及びエアフレッシュナ１００の前面図を示す。図示されているように、携帯機器ホルダ及びエアフレッシュナ１００は窓３０４を含んでもよい。図示されているように、底部１０２は通気孔４１４を含むように配置されてもよい。通気孔４１４は、携帯機器ホルダ及びエアフレッシュナ１００内に通気孔１１４を通して吹き込まれた空気が携帯機器ホルダ及びエアフレッシュナ１００の本体１０６から逃げることを可能にし得る。いくつかの例では、通気孔４１４から逃げる空気は、携帯機器ホルダ及びエアフレッシュナ１００内に装着された香り材料から放出された香り粒子との混ざり合いの結果として香りを付けられていてもよい。
【００１７】
図５及び図６は、携帯機器ホルダ及びエアフレッシュナ１００の頂面図及び底面図をそれぞれ示す。通気孔４１４は底部１０２内に含まれるとして示されているが、通気孔４１４は、頂部１０４内に、底部１０２及び頂部１０４内に、又は携帯機器ホルダ及びエアフレッシュナ１００に沿った他の位置内に含まれてもよい。いくつかの例では、他の位置としては、前部４０２、アーム１１６、及び／又は本体１０６が含まれ得る。
【００１８】
図７は、携帯機器ホルダ及びエアフレッシュナ１００の傾斜側面斜視分解図を示す。説明したように、香り材料は携帯機器ホルダ及びエアフレッシュナ１００内に装着されてもよい。一例では、香り材料としては香り材料７０４が含まれ得る。一例では、香り材料７０４は平坦なリング又はディスクの形状であってもよい。いくつかの例では、香り材料７０４はカプセルによって密閉されていてもよい。いくつかの例では、そのようなカプセルはリング又はディスク形状であってもよい。カプセルは、香りオイルがカプセルから逃げることを可能にするのに効果的な膜性部分を含んでもよい。いくつかの他の例では、香り材料７０４は、携帯機器ホルダ及びエアフレッシュナ１００内への装着のために、及び／又は携帯機器ホルダ及びエアフレッシュナ１００内での香り粒子の生成のために最適化されていてもよい異なる形状を取ってもよい。いくつかの例では、携帯機器ホルダ及びエアフレッシュナ１００の本体１０６は、携帯機器ホルダ及びエアフレッシュナ１００の前部内に通気孔７０２を含むように配置されてもよい。通気孔７０２は、空気及び／又は熱が携帯機器ホルダ及びエアフレッシュナ１００内に流入すること、並びに携帯機器ホルダ及びエアフレッシュナ１００から流出することを可能にし得る。いくつかの例では、携帯機器ホルダ及びエアフレッシュナ１００内に装着された携帯電子機器からの熱が通気孔７０２を通して流れてもよく、そして香り材料７０４から放出される粒子の量を増加させてもよい。
【００１９】
他の潜在的利点の中でも特に、携帯機器ホルダ及びエアフレッシュナは自動車の通気孔に固定され得る。携帯機器ホルダ及びエアフレッシュナが自動車の運転者の視野内になるように好都合に位置付け及び／又は回転される結果として、携帯機器ホルダ及びエアフレッシュナによって保持された携帯電子機器は運転者にとって容易に見えるようになり得る。携帯機器ホルダ及びエアフレッシュナの中空の内部は、自動車の換気システムから携帯機器ホルダ及びエアフレッシュナを通して空気が吹くことを可能にし得る。携帯機器ホルダ及びエアフレッシュナを通して吹く空気は、携帯機器ホルダ及びエアフレッシュナ内の香り材料によって香りを付けられてもよい。従って、携帯機器ホルダ及びエアフレッシュナは、運転者が携帯電話を好都合な位置において見ることを可能にし得、同時に、自動車の車室内に心地良い香りを提供し得る。加えて、携帯機器ホルダ及びエアフレッシュナの取り外し可能キャップは、古い香り材料が効力を失った場合に香り材料が容易に交換されることを可能にし得る。
【００２０】
様々な態様及び実施形態を本明細書中で開示したが、その他の態様及び実施形態は当業者にとって明らかであろう。本明細書中で開示した様々な態様及び実施形態は例示の目的のためのものであり、限定することを意図するものではなく、真の範囲及び精神は特許請求の範囲によって示される。
【図１】
2016043249.tif 000003
【図２】
2016043249.tif 000004
【図３】
2016043249.tif 000005
【図４】
2016043249.tif 000006
【図５】
2016043249.tif 000007
【図６】
2016043249.tif 000008
【図７】
2016043249.tif 000009